(57)【特許請求の範囲】
【請求項１】
流し台、洗面台等の水使用設備に取り付けられて、上水、排水等の流路として構成される配管の周囲を取り囲む形にて、その配管の流路方向所定区間を覆う配管カバーであって、
その配管カバーは、前記水使用設備の底板下面に固定される第一カバー体と、該第一カバー体に着脱可能に取り付けられる第二カバー体とを有し、
その第二カバー体は前記配管の周囲を取り囲む環状形態をなすとともに、前記第二カバー体の周方向一部区間に、前記配管を当該第二カバー体内部に進入させるための門状に開いたゲート部が形成され、前記第一カバー体は前記ゲート部を閉じる形にて平板状又は略平板状に形成されるゲート閉鎖部で構成されており、
前記第二カバー体のゲート部の周方向両端部には係合部がそれぞれ設けられ、前記第一カバー体はそのゲート閉鎖部の端縁部における前記係合部に対応した位置に前記被係合部が形成され、
前記配管が第二カバー体内部に配置された状態で、前記ゲート部が前記ゲート閉鎖部により閉鎖して前記係合部及び被係合部を互いに係合させ、前記第一カバー体に対し第二カバー体が取り付けられることを特徴とする配管カバー。
【請求項２】
前記第二カバー体の前記係合部は、前記水使用設備の底板下面に固定された第一カバー体の被係合部と係合した状態で、当該水使用設備を設置する設置面からの高さ方向において互いに相対移動可能となっており、
その相対移動により前記第二カバーは前記設置面上に載置され、当該配管カバーの全長が前記高さ方向において調節可能となっていることを特徴とする請求項１に記載した配管カバー。
【請求項３】
流し台、洗面台等の水使用設備に取り付けられ、上水、排水等の流路として構成される配管の周囲を取り囲む形にて、その配管の流路方向所定区間を覆う配管のカバー構造であって、
配管の周囲を取り囲む形の配管カバーは、前記水使用設備の底板下面に固定される第一カバー体と、該第一カバー体に着脱可能に取り付けられる第二カバー体とを有し、
その第二カバー体が前記配管の周囲を取り囲む環状形態をなすとともに、前記第二カバー体の周方向一部区間に、前記配管を当該第二カバー体内部に進入させるための門状に開いたゲート部が形成され、前記第一カバー体は前記ゲート部を閉じる形にて平板状又は略平板状に形成されるゲート閉鎖部で構成されており、
前記第二カバー体のゲート部の周方向両端部には係合部がそれぞれ設けられ、前記第一カバー体はそのゲート閉鎖部の端縁部における前記係合部に対応した位置に前記被係合部が形成され、
前記配管が第二カバー体内部に配置された状態で、前記ゲート部がゲート閉鎖部により閉鎖して前記係合部及び被係合部を互いに係合させ、前記第一カバー体に対し前記第二カバー体が取り付けられることを特徴とする配管のカバー構造。
【請求項４】
前記水使用設備は、前記底板に固定されるとともに、自身の伸縮により前記底板を上下動可能とする脚部が設けられており、
前記第二カバー体の係合部及び第一カバー体の被係合部を互いに係合させることにより前記第一カバー体に対し前記第二カバー体が取り付けられ、かつその係合状態において、前記第二カバー体が当該水使用設備を設置する設置面に載置されるようになっており、
さらに、前記脚部の伸縮に基づいて前記底板が高さ方向に移動可能とされる一方、前記配管カバーは、その底板への取付け状態において前記第一カバー体と前記第二カバー体とが互いの係合状態を維持しつつ前記設置面からの高さ方向において互いに相対移動可能となっており、その相対移動により前記高さ方向における当該配管カバーの全長が調節可能となっている請求項３に記載の配管カバー構造。
【請求項５】
前記水使用設備は、排水路を構成する排水管、上水路を構成する給湯管及び／又は給水管、ガス管、当該水使用設備に配設された電気配線、の内の少なくともいずれかを含む配管群を有し、それら配管群全体を取り囲む形にて前記配管カバーが設けられる請求項３又は４に記載の配管のカバー構造。
【発明の詳細な説明】
【０００１】
【発明の属する技術分野】
本発明は、配管カバー及び配管のカバー構造に関する。
【０００２】
【従来の技術】
従来、流し台、洗面台等の水使用設備において、水、湯等を供給するため、或いは排出するために配管が設けられている。このような配管は美感よりも機能性を重視することが多いため、目に触れない場所等に隠蔽した状態にて配置して、当該水使用設備の、或いは部屋全体の美感を損ねないよう配慮する必要がある。
【０００３】
【発明が解決しようとする課題】
本発明の解決すべき課題は、流し台、洗面台等の配管を有する水使用設備において、配管を防護しつつ配管周囲の審美性を効果的に向上し得る配管カバーを提供することにある。
【０００４】
【課題を解決するための手段及び作用・効果】
上記のような課題を解決するために本発明は、
流し台、洗面台等の水使用設備に取り付けられて、上水、排水等の流路として構成される配管の周囲を取り囲む形にて、その配管流路方向所定区間を覆う配管カバーであって、その配管カバーは、前記水使用設備の底板下面に固定される第一カバー体と、該第一カバー体に着脱可能に取り付けられる第二カバー体とを有し、その第二カバー体は前記配管の周囲を取り囲む環状形態をなすとともに、前記第二カバー体の周方向一部区間に、前記配管を当該第二カバー体内部に進入させるための門状に開いたゲート部が形成され、前記第一カバー体は前記ゲート部を閉じる形にて平板状又は略平板状に形成されるゲート閉鎖部で構成されており、前記第二カバー体のゲート部の周方向両端部には係合部がそれぞれ設けられ、前記第一カバー体はそのゲート閉鎖部の端縁部における前記係合部に対応した位置に前記被係合部が形成され、前記配管が第二カバー体内部に配置された状態で、前記ゲート部が前記ゲート閉鎖部により閉鎖して前記係合部及び被係合部を互いに係合させ、前記第一カバー体に対し第二カバー体が取り付けられることを特徴とする。
【０００５】
一般的に給排水管などは、天井裏、壁の中、床下など人目に触れない場所に配置されることが多いため、機能性を重視した形状をなすものが多く、外観については必要最低限の加工が施されていることが一般的である。従って、流し台等の水使用設備においては、配管を内部の目に触れない場所に隠蔽し、外観を損ねないような構成とすることが望ましい。一方、上記のごとく、底板を有する水使用設備において、底板を貫通する形にて下方に延びる配管構成のものは、底板と設置面の間において配管が露出してしまうこととなり、美感を損なう可能性がある。これに対し、本発明のように。配管の周囲を取り囲むように配管カバーを配置すれば、配管を効果的に防護でき、かつ配管を露出させない構成とすることができる。なお、本発明において、「配管」とは、水使用設備に用いる、排水管、給水管、給湯管、ガス管を含み、さらに、電磁調理器、食器洗い機等の電化製品、その他の電力利用等に用いるための電線（電力供給線）をも広義に配管の概念に含むものとする。なお、前記配管カバーを、当該配管カバーの高さ方向における全長が、前記底板下方隙間の間隔（即ち、設置面から底板下面までの間隔）より小さくなるように構成し、かつその底板下方隙間の間隔に対応させてその全長の調整が可能となるように、例えばその高さ方向において伸縮可能に構成してもよい。例えば、前記配管カバーにおいて、当該配管カバーの一部を前記高さ方向に進退可能とし、その進退により、当該配管カバーの前記高さ方向における全長が、前記底板下方隙間の間隔に対応して調整されるようにすることができる。
【０００６】
また、底板下面に固定される第一カバー体と、第一カバー体に着脱可能に取り付けられる第二カバー体を有する形にて配管カバーを構成するようにしてもよい。そして、第二カバー体において、第一カバー体に設けられた被係合部と対応する係合部を形成し、それら係合部及び被係合部を互いに係合させることにより第一カバー体に対し第二カバー体を取り付けるようにすることができる。このように、第一カバー体に対し第二カバー体を着脱可能に構成すれば、必要に応じて配管カバーを着脱できることとなり、利便性に富む構成となる。
【０００７】
また、第一カバー体を底板下面に固定する一方、第二カバー体を、設置面に当接する形にて設置することができる。そして、底板が自身の厚さ方向に移動して設置面に対し接近又は離間するのに対し、その底板に固定される前記第一カバー体はその底板の移動に伴い、これと一体的に厚さ方向に移動するようにすることができる。これに対し第二カバー体においては、その第一カバー体と係合した状態にて設置面との当接状態が維持される構成とすることができる。即ち、底板が上下動しても、第二カバー体は絶えず設置面上に位置することとなるため設置面と配管カバーとの間に隙間を生じさせることなく配管を覆うことができ、最下部において配管が露出しない構成となる。
【０００８】
底板の下方の隙間を側方側から、または側方上部側から見た場合、設置面付近は必ず目に入る位置となるため、この近傍において配管を被覆するように構成することが望ましい。そして、上記構成とすれば、底板が変位しても第二カバー体と設置面との当接状態が維持されて設置面付近は絶えず第二カバーによって覆われることなり、隙間の大小に拘わらず配管を効果的に隠蔽できる。
【０００９】
【発明の実施の形態】
本発明の実施の形態を図面に示す実施例を参照しつつ説明する。
図１及び図２には、本発明の配管カバーの取付け構造について示しており、図４にはその取付対象たる水使用設備の一例について示している。図１（ａ）は、底板下部の構成を主として示す斜視図であり、図１（ｂ）は、水使用設備１を底板下方側から見た斜視図である。なお、図１（ａ）下図は、第二カバー体１３が配管８を取り囲む構成を概念的に示すものである。また、図２は、配管カバーが組立てられた状態（即ち、配管カバーの設置状態）を示している。図１及び図２に示されるように、配管カバー１０は、流し台、洗面台等の水使用設備１（本実施例においては流し台（例えば、アイランド型キッチン）として構成することができる）に取り付けられて、上水、排水等の流路をなす配管８を覆うように構成される。
【００１０】
また、図４に示すように、取付対象となる水使用設備１は、当該水使用設備１を設置する設置面５０の上部において所定距離隔てた位置に底板２０が配置されるとともに設置面５０と底板下面２０ａの間に所定間隔の隙間５２（底板下方隙間）が設けられ、配管８は、上方に設けられた水使用部（例えば、シンク６０）側から底板２０を貫通して下方側に延びる形状をなしている。なお、流路方向は、上方から下方へ向かう構成でもよく、その逆でも良い。本実施例においては、排水管８ａを挟んだ両側に給水管８ｂ、給湯管８ｃがそれぞれ設けられており、これら排水管８ａ、給水管８ｂ、給湯管８ｃが列状に並んだ状態で配置されている。そして、給水管８ｂ、給湯管８ｃについては、下方側から上方側に向かうように流路が構成されており、排水管８ａについては、上方側のシンク６０から下方に排水が向かうように構成されている。なお、図１等に示すように、底板２０上方においては、側板２２、２２、背面板２３、前面板（図示略：扉構成等としてもよい）によって四方を囲む構成とすることができる。
【００１１】
また、図３に示すように、各々の配管８ａ、８ｂ、８ｃと対応するように、底板２０に挿通孔２８ａ、２８ｂ、２８ｃが設けることができる。図３では、配管と対応した形にて挿通孔が列状に形成されている。なお、挿通孔は、図３のように各々の配管ごとに設けるようにしてもよく、図１のように複数の配管を単一の挿通孔２８に通すようにしてもよい。
【００１２】
さらに、図１に示すように、底板２０と一体的に（図１では、底板２０に直接固定される形にて）脚部１４が四隅に設けられており、この脚部１４により、底板２０が設置面５０（図５）上方において所定距離隔てた位置に支持されている。この脚部１４は、伸縮可能となっており（例えば、下部に螺子状の部材を進退可能に設ける等）、これら脚部１４が伸縮することにより底板２０が上下動し、底板２０の高さが調節可能となっている。また、この脚部１４は所定の固定部材（例えば締結部材）により設置面５０（図５）に固定される構成としてもよい。本実施例においては、底板２０の下方に側板は設けられておらず、隙間側方から中央部を見た場合に、配管カバー１０が視認される状態として構成されている。なお、ここに示す設備例はあくまで一例であり、配管構成、設備構成、孔構成は種々の変形例を採用できることは言うまでもない。
【００１３】
図５の要部拡大図に示すように、配管８における、隙間５２内部を通過する部分（隙間内配管部８ｅ）の流路方向一部区間又は全区間において、隙間側方からの視認が不可能となるように、隙間内配管部８ｅの周囲を取り囲む形にて配管カバー１０が設けられることとなる。なお、図５においては、隙間内配管部８ｅにおける配管カバー１０の内部を通過する部分を破線部にて示しており、この部分の側方からの視認が不可能となっている。
【００１４】
また、図６に示すように、配管カバー１０は、底板２０（図１、図５等参照）の下面２０ａに固定される第一カバー体１２と、その第一カバー体１２に着脱可能に取り付けられる第二カバー体１３を有し、第二カバー体１３には、第一カバー体１２に設けられた被係合部３３と対応する係合部３１が形成されており、それら係合部３１及び被係合部３３を互いに係合させることにより第一カバー体１２に対し第二カバー体１３が取り付けられることとなる。また、図６に示すように第二カバー体１３は、配管８（図１）の周囲を取り囲む環状形態をなすとともにその周方向一部区間において門状に開く形にて配管８をその第二カバー体１３内部に進入させるためのゲート部１９が形成されており、そのゲート部１９をなす周方向両端部４１、４１において係合部３１がそれぞれ設けられている。
【００１５】
なお、図１０には、第二カバー体１３に関する平面図（図１０（ａ））、正面図（図１０（ｂ））、背面図（図１０（ｃ））をそれぞれ示している。なお、図１０では係合突起の形成前についての図を示しており、周方向両端部４１、４１において、係合突起を取り付けるための螺子孔部３８が設けられており、この螺子孔部３８に螺子状の係合突起（即ち、基端軸部３１ｂ（図６、図８等参照）が螺刻されてなる係合突起）を取り付けることにより係合部３１を構成することができる。なお、係合突起の構成はこのような螺子状形態でもよく、突起を接合、一体加工等により一体形成するようにしてもよい。一方、第一カバー体１２は、図６，図７に示すようにそのゲート部１９を閉じる形にて平板状又は略平板状に形成されるゲート閉鎖部１２ｂを有してなり、そのゲート閉鎖部１２ｂの端縁部において係合部３１に対応した位置に被係合部３３がそれぞれ形成されている。
【００１６】
さらに、第一カバー体１２は、図１（ｂ）に示すように、底板２０の下面２０ａに締結部材２９（螺子等）等の固定手段により固定されており、その底板下面２０ａと略直交する板状形態をなすように図６のようなゲート閉鎖部１２ｂが設けられている。この第一カバー体１２は、図９に示すように、底板下面２０ａ（図１、図５等）に固定する固定板部１２ａとゲート閉鎖部１２ｂとが、互いに板面が直交した形にて断面Ｌ字状に形成されている。なお、図９（ａ）は、第一カバー体１２の正面図及び側面図を示し、図９（ｂ）は平面図を示している。図９（ｂ）に示すように固定板部１２ａにおいて底板２０に固定するためのねじ等の締結部材を挿通するための挿通孔３９が設けられている。
【００１７】
さらに、図６に示すように、被係合部３３は板状に形成されるゲート閉鎖部１２ｂにおいて、そのゲート閉鎖部１２ｂを板厚方向に貫通する挿入孔部３７ａが形成されており、その挿入孔部３７ａの径よりも狭い幅の長孔部３７ｂ（ガイド溝）が続いてなる孔構造をなしている。他方、第二カバー体１３に形成される係合部３１は、図６（ｂ）に示すように、外面１３ｃより突出する係合突起を有するとともに、その係合突起は、基端側において軸状に形成される基端軸部３１ｂを有し、先端側においては基端側よりも径大に形成される抜止部３１ａを備えている。
【００１８】
そして、係合突起を挿入孔部３７ａに挿入した後に、その係合突起を長孔部３７ｂに移動させることにより抜止部３１ａが長孔部３７ｂにより係止されて抜け止めがなされることとなる。このように、係合部３１と被係合部３３とが互いに係合することにより、第一カバー１２に対し第二カバー１３が取り付けられ、配管カバー１０として一体的に固定されることとなる。なお、係合構成はこれに限定されず、着脱可能な種々の方法を用いることができる。例えば、図６（ｃ）に示すようなＬ字上の係合部を形成し、長孔状に形成された係合孔４３内部にそのＬ状部４１を挿入させる形態にて互いに係合させるようにしてもよい。
【００１９】
また、図５に示すように、第一カバー体１２は底板２０の下面２０ａに固定される一方、第二カバー体１３は、設置面５０に当接した状態にて設置される。そして、底板２０が自身の厚さ方向に移動して設置面５０に対し接近又は離間可能となっており（具体的には図１等の示す脚部１４の伸縮を調節して、底板２０の高さを設定する）、その底板２０に固定される第一カバー体１２がその底板２０の移動に伴い、これと一体的に厚さ方向に移動するようになっている。他方、第二カバー体１３は、その第一カバー体１２と係合した状態にて設置面５０との当接状態が維持されるようになっている。
【００２０】
図７に示すように、係合突起を各々の挿入孔部３７ａに挿入した後の係合状態においては、基端軸部３１ｂの移動は長孔部３７ｂに拘束されることとなる。長孔部３７ｂは底板２０の厚さ方向に細長に形成されており、基端軸部３１ｂは厚さ方向のみの移動が許容されることとなる。また、係合突起は長孔部内において摺動可能な状態となっており、係合時において第二カバー体は自重により下方に移動し設置面５０と当接した状態にてその設置面５０上で支持される。換言すれば、係合状態を維持しつつ設置面５０上において載置されることとなる。また、設置状態における長孔部３７ｂ内での基端軸部３１ｂの位置は、第一カバー体１２の変位（即ち、底板の２０の高さ）に依存し、基端軸部３１ｂが長孔部３７ｂを移動する範囲内であれば第二カバー体１３と設置面５０の当接状態が維持され、底板２０と設置面５０の隙間変動を吸収できる構成となっている。即ち、脚部１４（アジャスタ）の伸縮によって底板２０の高さが変動しても、長孔部３７ｂによって吸収できる範囲内であれば第二カバー体１３は第一カバー体１２との係合状態を維持しつつ設置面５０上に載置されることとなる。
【００２１】
なお、図８は係合部３１と被係合部３３との係合状態を模式的に示しており、図８（ａ）は、隙間５２がある程度狭まった状態を示し、図８（ｂ）は広がった状態を示している。第一カバー体１２は上述のごとく底板２０と一体的に上下動するようになっており、第二カバー体１２が上方（例えば鉛直上方）に移動することにより、図８（ｂ）のように基端軸部３１ｂが相対的に長孔部３７ｂの下方に移動する。このように、基端軸部３１ｂが長孔部３７ｂの最下方に至るまでは第二カバー体１３は設置面５０上に載置された状態が維持される。なお、係合状態を解除する場合、即ち、第一カバー体１２から第二カバー体１３を取り外す場合には、抜止部３１ａが挿入孔部３７ａに至るまで第二カバー体１３を上方に移動させ、挿入孔部３７ａを通して抜止部３１ａを抜くこととなる。なお、取付けるとき（即ち、係合させるとき）はこれと逆の手順を行い、抜止部３１ａを挿入孔部３７ａに挿入した後、基端軸部３１ｂが長孔部３７ｂに沿うように下方に移動させ、第二カバー体１３が設置面５０上に載置された状態が設置状態となる。
【００２２】
そして、図１（ａ）又は図２に示すように、配管８が第二カバー体１３内部に配置された状態でゲート部１９がゲート閉鎖部１２ｂにより閉鎖されるように、第一カバー体１２に対し第二カバー体１３を上記のごとく係合させつつ取り付けることとなる。なお、配管カバー１０の材質としては、アルミニウム、又はアルミニウムを主体とする合金にて構成することができ、このような材質を用いることにより軽量かつ審美性の高い構成となる。
【００２３】
また、本実施例において配管８は、排水管８ａ、給水管８ｂ、及び給湯管８ｃを含む配管群として構成されており、それら配管群を取り囲む形にて配管カバー１０が設けられることとなる。なお、配管カバー１０は、当該水使用設備に配設された電気配線（例えば、電力供給線、アース線等）、ガス管等を配管８とともに、又はこれらを個別に取り囲むように構成してもよい。
【００２４】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【図面の簡単な説明】
【図１】本発明の配管カバーの取付構成例を示す一部分解図。
【図２】配管カバーの設置例を示す図。
【図３】図２を詳細に説明する分解斜視図。
【図４】水使用設備の一例を示す図。
【図５】配管のカバー構造を説明する要部拡大図。
【図６】第一カバー体と第二カバー体の係合方法を説明する図。
【図７】第一カバー体と第二カバー体が係合した状態を示す図。
【図８】係合形態の一例について具体的に説明する図。
【図９】第一カバー体の一例を示す図。
【図１０】第二カバー体の一例を示す図。
【符号の説明】
１  水使用設備
８  配管
８ａ  排水管
８ｂ  給水管
８ｃ  給湯管
８ｅ  隙間内配管部
１０  配管カバー
１２  第一カバー体
１２ｂ  ゲート閉鎖部
１３  第二カバー体
１４  脚部
１９  ゲート部
２０  底板
３１  係合部
３１ａ  抜止部
３１  基端軸部
３３  被係合部
３７ａ  挿入孔部
３７ｂ  長孔部  （ガイド溝）
５０  設置面
５２  隙間  （底板下方隙間）
６０  シンク  （水使用部）
【図１】
0003667255.tif 000002
【図２】
0003667255.tif 000003
【図３】
0003667255.tif 000004
【図４】
0003667255.tif 000005
【図５】
0003667255.tif 000006
【図６】
0003667255.tif 000007
【図７】
0003667255.tif 000008
【図８】
0003667255.tif 000009
【図９】
0003667255.tif 000010
【図１０】
0003667255.tif 000011